(57)【要約】【課題】記録媒体を本体に収容する記録装置において、記録媒体の出し入れが容易で、狭い場所にも設置することができ、かつ、装置本体の小型化が可能な記録装置、及び、記録装置におけるカバー支持構造を提供する。【解決手段】ロール紙１００に記録を行う記録装置１であって、記録装置１の本体１０にロール紙１００を収容する記録媒体収容部２７を設け、記録媒体収容部２７の背面カバー２０を、カバー支持部４０を介して開閉可能に本体１０に支持し、カバー支持部４０は、本体１０に台座４１を介して固定されたピン４１Ａにより、本体１０に回動可能に連結される一方、背面カバー２０に連結されたリンク４３を有し、リンク４３は伸縮可能であって所定の長さ位置で保持可能である。【選択図】図３
2013059970.tif 000002
【特許請求の範囲】
【請求項１】
記録媒体に記録を行う記録装置であって、
前記記録装置の本体に前記記録媒体を収容する媒体収容部を設け、前記媒体収容部のカバーを、支持構造を介して開閉可能に前記本体に支持し、
前記支持構造は、前記本体に台座を介して固定された回動軸により、前記本体に回動可能に連結される一方、前記カバーに連結されたリンクを有し、前記リンクは伸縮可能であって所定の長さ位置で保持可能であることを特徴とする記録装置。
【請求項２】
前記カバーは、前記支持構造により前記本体の一側面側に回動可能に支持され、開位置において前記記録媒体を前記媒体収容部から外に引き出す引き出し経路の延長上から外れ、かつ、前記本体の前記一側面より突出しないよう構成され、
前記リンクは、前記カバーが前記開位置となる前記所定の長さ位置で保持可能であることを特徴とする請求項１記載の記録装置。
【請求項３】
前記媒体収容部内で前記記録媒体を保持し、前記媒体収容部から前記本体の外に引き出し可能な記録媒体保持部を有することを特徴とする請求項２記載の記録装置。
【請求項４】
前記支持構造は、前記カバーの上下端部を回動自在に前記本体に連結するヒンジをさらに備えることを特徴とする請求項１から３のいずれかに記載の記録装置。
【請求項５】
前記本体の側部に、記録動作を制御する制御基板を収容する基板収容部を設け、
前記台座は前記本体の前記基板収容部側に取り付けられたことを特徴とする請求項１から４のいずれかに記載の記録装置。
【請求項６】
前記リンクは、前記台座または前記カバーの一方に取り付けられた第１リンク部材と、前記第１リンク部材にスライド可能に嵌合し、前記台座または前記カバーの他方に取り付けられた第２リンク部材と、前記第１リンク部材と前記第２リンク部材とを所定のスライド位置で保持する保持部材とを備えることを特徴とする請求項１から５のいずれかに記載の記録装置。
【請求項７】
前記カバーは、前記本体の背面と一方の側面とにまたがって設けられ、前記カバーの閉位置において前記媒体収容部に収容された前記記録媒体を視認可能な窓を有することを特徴とする請求項１から６のいずれかに記載の記録装置。
【請求項８】
記録媒体に記録を行う記録装置において記録媒体を収容する媒体収容部のカバーを開閉可能に支持するカバー支持構造であって、
前記記録装置の本体に台座を介して固定された回動軸により、前記本体に回動可能に連結される一方、前記カバーに連結されたリンクを有し、前記リンクは伸縮可能であって所定の長さ位置で保持可能であることを特徴とする記録装置におけるカバー支持構造。
【発明の詳細な説明】
【技術分野】
【０００１】
本発明は、記録装置、及び、記録装置におけるカバー支持構造に関する。
【背景技術】
【０００２】
従来、記録媒体に記録を行うプリンター等の記録装置において、記録媒体を本体内部に収容する構成を有し、記録媒体を出し入れ可能とするために開閉可能なカバーを備えたものが知られている（例えば、特許文献１参照）。この種の記録装置においては、カバーが容易に壊れないような丈夫なものであること、記録媒体の交換等を簡単に行えるようにカバーを開位置で保持できること等が求められる。これらの要求を満足するために、例えば特許文献１記載の記録装置は、記録装置本体に対して大きなカバーを備え、このカバーを、装置本体の上方に大きく開くようにヒンジにより本体に連結した構成となっている。
【先行技術文献】
【特許文献】
【０００３】
【特許文献１】特開２００１−２３２８７４号公報
【発明の概要】
【発明が解決しようとする課題】
【０００４】
ところで、特許文献１記載の記録装置のように、カバーが大きく、開閉時にカバーが大きく動くような構造を採用した場合、カバーを開くためのスペースを確保する必要があった。このため、狭い空間に記録装置を設置した場合には、設置状態でカバーを開くことが難しく、記録媒体を出し入れする際にはいったん設置場所から記録装置を移動する必要があった。また、カバーを設けたために装置本体の小型化が難しくなるという問題があった。
本発明は、上述した事情に鑑みてなされたものであり、記録媒体を本体に収容する記録装置において、記録媒体の出し入れが容易で、狭い場所にも設置することができ、かつ、装置本体の小型化が可能な記録装置、及び、記録装置におけるカバー支持構造を提供することを目的とする。
【課題を解決するための手段】
【０００５】
上記目的を達成するために、本発明は、記録媒体に記録を行う記録装置であって、前記記録装置の本体に前記記録媒体を収容する媒体収容部を設け、前記媒体収容部のカバーを、支持構造を介して開閉可能に前記本体に支持し、前記支持構造は、前記本体に台座を介して固定された回動軸により、前記本体に回動可能に連結される一方、前記カバーに連結されたリンクを有し、前記リンクは伸縮可能であって所定の長さ位置で保持可能であることを特徴とする。
本発明によれば、本体に対して回動可能に設けられたカバーを、本体から突出しないように、カバーを記録媒体の出し入れに支障のない位置まで開放可能とすることができる。これにより、記録媒体の出し入れを容易にし、かつ、狭い場所への記録装置の設置が可能となる。
【０００６】
また、本発明は、上記記録装置において、前記カバーは、前記支持構造により前記本体の一側面側に回動可能に支持され、開位置において前記記録媒体を前記媒体収容部から外に引き出す引き出し経路の延長上から外れ、かつ、前記本体の前記一側面より突出しないよう構成され、前記リンクは、前記カバーが前記開位置となる前記所定の長さ位置で保持可能であることを特徴とする。
本発明によれば、記録媒体の出し入れを妨げない位置までカバーを開くことができ、かつ、カバーが本体から突出しないため狭い場所にも設置できる。
【０００７】
また、本発明は、上記記録装置において、前記媒体収容部内で前記記録媒体を保持し、前記媒体収容部から前記本体の外に引き出し可能な記録媒体保持部を有することを特徴とする。
本発明によれば、記録媒体を引き出すことで記録媒体の交換等を容易に行える。
【０００８】
また、本発明は、上記記録装置において、前記支持構造は、前記カバーの上下端部を回動自在に前記本体に連結するヒンジをさらに備えることを特徴とする。
本発明によれば、ヒンジによってカバーの上下端部で支持されるので、リンクはカバーの回動範囲を規制するに必要な強度を有するものであればよく、支持構造の構成を複雑化及び大型化することなく十分な強度を確保できる。
【０００９】
また、本発明は、上記記録装置において、前記本体の側部に、記録動作を制御する制御基板を収容する基板収容部を設け、前記台座は前記本体の前記基板収容部側に取り付けられたことを特徴とする。
本発明によれば、制御基板を収容する基板収容部側に台座を設けたことにより、カバーの回動中心が本体の側面から離れるので、カバーを開いた際に本体からカバーが突出しない。このため、狭い場所に記録装置を設置できる。
【００１０】
また、本発明は、上記記録装置において、前記リンクは、前記台座または前記カバーの一方に取り付けられた第１リンク部材と、前記第１リンク部材にスライド可能に嵌合し、前記台座または前記カバーの他方に取り付けられた第２リンク部材と、前記第１リンク部材と前記第２リンク部材とを所定のスライド位置で保持する保持部材とを備えることを特徴とする。
本発明によれば、２つのリンク部材をスライド可能に嵌合した簡易な構成によって支持構造を実現できる。
【００１１】
また、本発明は、上記記録装置において、前記カバーは、前記本体の背面と一方の側面とにまたがって設けられ、前記カバーの閉位置において前記媒体収容部に収容された前記記録媒体を視認可能な窓を有することを特徴とする。
本発明によれば、本体の背面から側面にまたがるカバーを開くことで大きな開口を確保し、記録媒体を容易に出し入れすることができる。また、カバーに記録媒体を視認可能な窓を設けることにより、本体に加工を施すよりも簡単に、窓を設けることができる。
【００１２】
また、上記目的を達成するために、本発明は、記録媒体に記録を行う記録装置において記録媒体を収容する媒体収容部のカバーを開閉可能に支持するカバー支持構造であって、前記記録装置の本体に台座を介して固定された回動軸により、前記本体に回動可能に連結される一方、前記カバーに連結されたリンクを有し、前記リンクは伸縮可能であって所定の長さ位置で保持可能であることを特徴とする。
本発明によれば、本体に対して回動可能に設けられたカバーを、本体から突出しないように、カバーを記録媒体の出し入れに支障のない位置まで開放可能とすることができる。これにより、記録媒体の出し入れを容易にし、かつ、狭い場所への記録装置の設置が可能となる。
【発明の効果】
【００１３】
本発明によれば、記録媒体を本体に収容する記録装置において、記録媒体の出し入れを容易にし、かつ、狭い場所への記録装置の設置が可能となる。
【図面の簡単な説明】
【００１４】
【図１】本実施形態に係る記録装置の構成を示す外観図である。
【図２】記録装置の背面図である。
【図３】背面カバーを開いた状態の斜視図である。
【図４】背面カバーを開いた状態の側面図である。
【図５】ロール紙を引き出した状態の斜視図である。
【図６】ロール紙を引き出した状態の側面図である。
【図７】背面カバーを閉じた状態の要部斜視図である。
【図８】背面カバーを開いた状態の要部斜視図である。
【図９】背面カバーの支持構造を示す要部平明図である。
【発明を実施するための形態】
【００１５】
以下、図面を参照して本発明の実施形態について説明する。
図１及び図２は、本発明を適用した実施形態に係る記録装置１の外観図であり、（Ａ）は正面図、（Ｂ）は左側面図である。また、図２は背面図である。
これら図１及び図２に示すように、記録装置１は略箱形の本体１０に記録ヘッド（図示略）及び記録媒体としてのロール紙１００を含む（図３）各部を収容して構成され、ロール紙１００に文字や画像を印刷して出力する装置である。
本体１０は、本体１０の前面を構成する前面パネル１１、本体１０の右側面を有する側面パネル１３、本体１０の上面の一部を構成する上面パネル１４、本体１０の上面から右側面にまたがる開閉可能な上部カバー１５、本体１０の背面を構成する背面パネル１７、及び、本体１０の背面の一部及び左側面の一部を構成する背面カバー２０（カバー）を備えて構成される。これら前面パネル１１、側面パネル１３、上面パネル１４、上部カバー１５、背面パネル１７、及び背面カバー２０は、それぞれ、本体１０に内蔵される金属製の本体フレーム（図示略）に取り付けられている。本体１０の底面には、接地面に接する４つの脚３１が配置されている。
【００１６】
図１（Ａ）に示すように、本体１０の前面には、記録装置１の電源のオン／オフ、記録動作に係る設定等を行う操作子を有する操作パネル３３、記録装置１の動作状態に係る各種表示を行う表示パネル３４が配置されている。また、前面パネル１１には印刷後のロール紙１００を排出する排紙口３６が形成されている。
また、図１（Ｂ）に示すように、背面カバー２０において本体１０の左側面を構成する部分には、窓２１が設けられている。窓２１は、本体１０内部に収容されたロール紙１００を視認可能な、例えば透明な樹脂で構成され、この窓２１を介してロール紙１００の残量を確認できるようになっている。
【００１７】
図２に示すように、背面カバー２０は、本体１０の右側（図中右側）においてヒンジ２４、２５を介して本体１０に回動自在に連結されている。ヒンジ２４は、背面カバー２０の上端部と本体１０とを連結し、本体１０の本体フレーム（図示略）に固定されて本体１０外部に突出する本体側板２４Ａと、背面カバー２０のフレーム（図示略）に固定されて本体１０の背面側に突出するカバー側板２４Ｂとを重ねてリベット（図示略）により連結した構成である。また、ヒンジ２５は背面カバー２０の下端部と本体１０とを連結し、本体フレームに固定されて突出する本体側板２５Ａと、背面カバー２０のフレームに固定されて本体１０の背面側に突出するカバー側板２５Ｂとを重ねてリベット（図示略）により連結した構成である。
【００１８】
また、本体１０の右側部には、記録装置１の動作を制御する制御基板（図示略）が収容される制御基板収容部３７（基板収容部）が設けられている。この制御基板収容部３７に収容された制御基板は、本体１０の前面の操作パネル３３及び表示パネル３４に結線され、操作パネル３３の操作を検出するとともに表示パネル３４の表示を制御する。また、この制御基板は印刷ヘッドの動作の制御、ロール紙１００を搬送する搬送モーター（図示略）の制御、及び、外部のコンピューターと記録装置１との通信の制御等を実行する。ヒンジ２４、２５は、本体１０において制御基板収容部３７側に設けられている。このため、図２に示すように、背面カバー２０の側端は本体１０の右側面から離れた位置にあり、この位置に設けられたヒンジ２４、２５を中心として回動することにより、開閉される。
【００１９】
図３は記録装置１の背面カバー２０及び上部カバー１５を開いた状態の斜視図であり、図４は背面カバー２０及び上部カバー１５を開いた状態の側面視図である。
図３及び図４に示すように、上部カバー１５は本体１０の本体フレーム（図示略）に連結されたヒンジによって上方に回動して開く。図３及び図４に示すように上部カバー１５を完全に開いた位置では上部カバー１５の自重により開いた状態が保たれる。
また、背面カバー２０は、ヒンジ２４、２５を中心として本体１０の後方に回動して開く。本体１０の内部にはロール紙１００を収容する空間である記録媒体収容部２７（媒体収容部）が設けられ、背面カバー２０が開くことにより記録媒体収容部２７が露出する。
【００２０】
背面カバー２０は、ヒンジ２４、２５のほか、カバー支持部４０（支持構造）によって本体フレームに支持されている。カバー支持部４０は、本体フレームに固定された台座４１と、台座４１のピン４１Ａ（回動軸）を介して、台座４１に対して回動自在に連結された２本のリンク４３とを備えて構成される。２本のリンク４３は上下に並べて平行に配設され、それぞれ、ピン４１Ａに連結された第１リンク部材４５と、背面カバー２０側に連結された第２リンク部材４７とを組み合わせて構成されている。２本のリンク４３は、後述するように背面カバー２０の回動位置を規制する。
【００２１】
記録媒体収容部２７の底部には、ロール紙１００を支持するスライド台２９（記録媒体保持部）が配置されている。スライド台２９は、スライド台２９をスライドさせる際の持ち手となるバー３０を備え、記録媒体収容部２７の内部と本体１０の外とにスライド可能に配置されており、このバー３０を持って後方に引っ張ることで、スライド台２９ごとロール紙１００を引き出すことができる。
【００２２】
図５はロール紙１００を引き出した状態の斜視図であり、図６はロール紙１００を引き出した状態の側面視図である。
これら図５及び図６に示すように、スライド台２９は左右両側に設けられたスライドレール３５によってスライド可能に支持される。スライド台２９は、バー３０を持って本体１０の後方に引き出すことができ、スライド台２９をいっぱいに引き出した状態でロール紙１００が本体１０の外部に露出する。スライド台２９は、ロール紙１００の芯部に装着される芯支持部３８と、芯支持部３８を下方から支持するスタンド３９とを備え、これら芯支持部３８及びスタンド３９によってロール紙１００が回転自在に支持される。記録装置１が印刷を実行する際には、記録媒体収容部２７内に収容されたロール紙１００が、搬送ローラー（図示略）の動作によって回転しながら引き出される。また、ロール紙１００の上方にはロール紙ガイド３２が配置される。ロール紙ガイド３２は、本体１０の本体フレームに固定され、記録媒体収容部２７に収容されたロール紙１００が左右に蛇行しないようにガイドする。
【００２３】
ロール紙１００を交換する際には、図５及び図６に示すようにスライド台２９を引き出し、ロール紙１００を、ロール紙ガイド３２を避けるように斜め後方に持ち上げて取り出し、新しいロール紙１００に芯支持部３８を装着してスタンド３９に載せれば良い。
背面カバー２０が完全に開かれた位置（開位置）では、背面カバー２０の全体がスライド台２９の引き出し経路から外れた位置にあり、スライド台２９を引き出す操作およびロール紙１００を交換する操作の支障にならない。
【００２４】
本体１０の左側面を構成する側面パネル１３は、本体１０の後部側では上下に分割され、上部は背面カバー２０の一部を構成し、下部１３Ａは側面パネル１３とともに固定されている。背面カバー２０の下部には突起２０Ａが設けられ、下部１３Ａの先端部１３Ｂには、背面カバー２０が閉じられた位置（閉位置）で突起２０Ａを保持するキャッチ機構（図示略）が設けられており、このキャッチ機構により背面カバー２０は容易に開かないように保持される。また、下部１３Ａは、本体１０の本体フレームの剛性を高める作用を有し、さらに、背面カバー２０を開いた状態でスライドレール３５を隠す機能を果たしている。
【００２５】
ここで、背面カバー２０を支持するカバー支持部４０について詳細に説明する。
図７は、背面カバー２０を閉じた状態の要部斜視図であり、図８は背面カバー２０を開いた状態の要部斜視図である。
図７及び図８では、背面カバー２０の支持構造を詳細に示すため、側面パネル１３、上部カバー１５及び記録媒体収容部２７内に配置される各部の図示を省略する。
【００２６】
図７及び図８に示すように、カバー支持部４０を構成するリンク４３は、台座４１のピン４１Ａに連結された第１リンク部材４５と、背面カバー２０に固定された第２リンク部材４７とを有し、第２リンク部材４７には、その長手方向に延びる長穴４７Ａが形成され、この長穴４７Ａには第１リンク部材４５の端部に固定されたピン４８が嵌合し、このピン４８を介して第１リンク部材４５と第２リンク部材４７とが連結されている。第１リンク部材４５と第２リンク部材４７とは、ピン４８が長穴４７Ａ内を移動する範囲において相互にスライド可能であり、これによりリンク４３は全体として伸縮する。第１リンク部材４５及び第２リンク部材４７は伸縮性に劣る、或いは伸縮しない材料により構成され、第１リンク部材４５は台座４１に連結され、第２リンク部材４７は背面カバー２０に固定されているので、ピン４８は背面カバー２０を開く角度に応じて長穴４７Ａ内を移動する。また、第１リンク部材４５は、上下及び一側面の３平面からなる断面Ｃ字形状（或いは断面コ字状）の部材であり、第１リンク部材４５の内部に第２リンク部材４７を収容可能である。このため、第１リンク部材４５と第２リンク部材４７とが相互にスライドして、リンク４３全体が短くなった状態では、第２リンク部材４７が第１リンク部材４５の内側に入り込む。
【００２７】
図７に示すように背面カバー２０が閉位置にある状態では、ピン４８は長穴４７Ａの基端側に位置し、第２リンク部材４７のほぼ全体が第１リンク部材４５に収容されている。この図７の状態でリンク４３は最短となる。また、図８に示すように、背面カバー２０が全開された開位置にある状態では、ピン４８は長穴４７Ａの先端側に位置し、リンク４３の長さはほぼ最長となる。
【００２８】
図９は、カバー支持部４０の構成を示す要部平面図であり、特に背面カバー２０が開位置にある状態を示す。
上述のように、第２リンク部材４７は背面カバー２０の内面２０Ｂに固定されている。また、第２リンク部材４７には板バネ４９、５０（保持部材）が、背面カバー２０と第２リンク部材４７とにまたがるように配置されている。板バネ４９、５０は、いずれも断面Ｕ字形状に形成され、Ｕ字の一方は背面カバー２０に固定され、他方は長穴４７Ａ内に露出する。板バネ４９は、第２リンク部材４７の先端側すなわち本体１０から離れた側に配置され、板バネ５０は第２リンク部材４７の基端側すなわち本体１０側に配置される。板バネ４９、５０は、長穴４７Ａ内でピン４８が通過する通路に露出している。板バネ４９、５０は、背面カバー２０の内部においては露出していないが、図９では理解の便宜を図るために実線で図示する。
【００２９】
板バネ４９は、長穴４７Ａの内部に突出する凸部４９Ａを有する。凸部４９Ａは長穴４７Ａの長手方向先端部に設けられ、ピン４８が通る通路の幅を狭めるように突出しており、凸部４９Ａにより長穴４７Ａが区画されて端部空間４３Ａが形成される。端部空間４３Ａはピン４８が収まる程度の大きさであり、端部空間４３Ａにおいてピン４８が長穴４７Ａの壁と凸部４９Ａとにより押圧される程度の大きさとしてもよい。
また、板バネ５０は、長穴４７Ａの内部に突出する凸部５０Ａを有する。凸部５０Ａは長穴４７Ａの長手方向基端部に設けられ、ピン４８が通る通路の幅を狭めるように突出しており、凸部５０Ａにより長穴４７Ａが区画されて端部空間４３Ｂが形成される。端部空間４３Ｂはピン４８が収まる程度の大きさであり、端部空間４３Ｂにおいてピン４８が長穴４７Ａの壁と凸部５０Ａとにより押圧される程度の大きさとしてもよい。
【００３０】
ピン４８は、背面カバー２０の開閉動作に伴って長穴４７Ａ内を移動する。ここで、背面カバー２０を開く動作に伴い、リンク４３が伸長され、ピン４８が長穴４７Ａの基端部側に移動すると、ピン４８が凸部５０Ａに当接したところで背面カバー２０の回動が制限される。ここで、さらに強い力で背面カバー２０が開かれると、ピン４８が板バネ５０の弾性に抗して基端側に押され、板バネ５０が変形してピン４８が凸部５０Ａを乗り越えて端部空間４３Ｂに収まる。この位置は図９に示す開位置であり、ピン４８は凸部５０Ａによって端部空間４３Ｂ内で保持されるため、背面カバー２０は、開位置で保持される。この開位置では、ピン４８が凸部５０Ａを乗り越えるのに必要な力が加わらない限り、背面カバー２０は閉じないように保持される。
そして、背面カバー２０を閉じる力が加わると、背面カバー２０の回動に伴ってリンク４３が短縮され、ピン４８は板バネ５０の弾性に抗して長穴４７Ａ内を移動する。背面カバー２０が閉じられるにつれてピン４８は長穴４７Ａの先端側に移動し、凸部４９Ａに接して止まる。さらに強い力が背面カバー２０に加わると、ピン４８が板バネ４９の弾性に抗して先端側に押され、板バネ４９が変形してピン４８が凸部４９Ａを乗り越えて端部空間４３Ａに収まる。この位置は背面カバー２０の閉位置であり、ピン４８は凸部４９Ａによって端部空間４３Ａ内で保持されるため、背面カバー２０は、閉位置で保持される。また、閉位置では、上記の突起２０Ａが先端部１３Ｂのキャッチ（図示略）により保持されているので、背面カバー２０は容易に開かないように保持される。
さらに、背面カバー２０が閉じる際に、ピン４８が板バネ４９を乗り越えなければならないため、背面カバー２０の動きが減速あるいはいったん停止するように規制される。これにより、記録装置１を操作する操作者が誤って背面カバー２０に指を挟んでしまう可能性を低減することができ、操作者が安心して背面カバー２０を開閉する操作を行える。
【００３１】
このように、ピン４８が板バネ４９、５０の弾性によって端部空間４３Ａ、４３Ｂで保持されることで、リンク４３は、所定の長さ位置、すなわち背面カバー２０の開位置と閉位置とに対応する長さ位置で保持される。これにより、背面カバー２０を閉位置で保持することで、記録装置１の使用時に容易に背面カバー２０が開かないように保持することができ、また、背面カバー２０を開位置で保持することで、ロール紙１００の交換作業を容易に行うことができる。
また、図９に示すように板バネ４９、５０は背面カバー２０と第２リンク部材４７とにまたがって配設されており、第２リンク部材４７を背面カバー２０に固定する作用も有する。このため、第２リンク部材４７の固定に要する部材を削減し、小型化を容易にしている。
【００３２】
また、図９に示すように、背面カバー２０は制御基板収容部３７側に設けられ、背面カバー２０を全開した開位置において、本体１０の右側面の延長上（図中破線Ａ）から突出しない位置にある。このため、本体１０を、その右側面を壁などに密着させて設置した場合であっても、背面カバー２０を全開にしてロール紙１００を交換できる。さらに、背面カバー２０の開位置で、背面カバー２０はスライド台２９が引き出される領域の延長上（図中破線Ｂ）から突出しないので、スライド台２９を引き出してロール紙１００を交換する作業の妨げにならず、容易にロール紙１００の交換等を行える。
【００３３】
以上説明したように、本発明を適用した実施形態では、ロール紙１００に記録を行う記録装置１であって、記録装置１の本体１０にロール紙１００を収容する記録媒体収容部２７を設け、記録媒体収容部２７の背面カバー２０を、カバー支持部４０を介して開閉可能に本体１０に支持し、カバー支持部４０は、本体１０に台座４１を介して固定されたピン４１Ａにより、本体１０に回動可能に連結される一方、背面カバー２０に連結されたリンク４３を有し、リンク４３は伸縮可能であって所定の長さ位置で保持可能であるので、背面カバー２０が本体１０から突出しないように、背面カバー２０をロール紙１００の出し入れに支障のない位置まで開放可能とすることができる。これにより、ロール紙１００の出し入れを容易にし、かつ、狭い場所への記録装置１の設置が可能となる。
【００３４】
また、背面カバー２０は、カバー支持部４０により本体１０の右側面側に回動可能に支持され、開位置においてロール紙１００を記録媒体収容部２７から外に引き出すスライド台２９の移動経路の延長上から外れ、かつ、本体１０の右側面より突出しないよう構成され、リンク４３は、背面カバー２０が開位置となる所定の長さ位置で保持可能であるため、ロール紙１００の出し入れを妨げない位置まで背面カバー２０を開くことができ、かつ、背面カバー２０が本体１０から突出しないため狭い場所にも設置できる。
また、記録装置１は、記録媒体収容部２７内でロール紙１００を保持し、記録媒体収容部２７から本体１０の外に引き出し可能なロール紙１００保持部を有し、ロール紙１００を容易に引き出して交換できる。
【００３５】
また、カバー支持部４０は、背面カバー２０の上下端部を回動自在に本体１０に連結するヒンジ２４、２５をさらに備え、これらヒンジ２４、２５によって背面カバー２０の上下端部を支持し、リンク４３の長さにより背面カバー２０の開度を規制する。この構成により、リンク４３は背面カバー２０の回動範囲を規制するに必要な強度を有するものであればよく、カバー支持部４０の構成を複雑化及び大型化することなく十分な強度を確保できる。
【００３６】
また、本体１０の右側部には、記録動作を制御する制御基板を収容する制御基板収容部３７を設け、台座４１は本体１０の制御基板収容部３７側に取り付けられているので、背面カバー２０の回動中心が本体１０の右側面から離れるので、背面カバー２０を開いた際に本体１０から背面カバー２０が突出しない。このため、狭い場所に記録装置１を設置できる。本体１０の左側面側に制御基板収容部３７を設け、ヒンジ２４、２５及びリンク４３を本体１０の左側面側に設けた場合も同様の効果が得られる。
【００３７】
また、リンク４３は、台座４１に取り付けられた第１リンク部材４５と、第１リンク部材４５にスライド可能に嵌合し、背面カバー２０に取り付けられた第２リンク部材４７とを備え、第１リンク部材４５のピン４８と第２リンク部材４７の長穴４７Ａとを板バネ４９、５０によって所定のスライド位置で保持するので、板バネ４９、５０によって第１リンク部材４５と第２リンク部材４７とのスライド位置を保持することで、背面カバー２０を開位置及び閉位置で保持する構成を容易に実現できる。ここで、第２リンク部材４７を台座４１に連結し、第１リンク部材４５を背面カバー２０に固定しても、同様の効果を得ることができる。この場合、板バネ４９、５０は、第２リンク部材４７に固定されていればよく、図９に示したように背面カバー２０に固定する必要はない。
【００３８】
さらに、背面カバー２０は、本体１０の背面と右側面とにまたがって設けられ、背面カバー２０の閉位置において記録媒体収容部２７に収容されたロール紙１００を視認可能な窓２１が設けられているので、背面カバー２０を開くことで大きな開口を確保することができ、ロール紙１００を容易に出し入れすることができる。また、背面カバー２０に窓２１を設けることで、本体１０に加工を施すよりも簡単に、ロール紙１００を視認可能とすることができる。
【００３９】
なお、上記各実施形態は本発明を適用した一具体例を示すものであり、本発明はこれに限定されるものではなく、例えば、記録装置１において制御基板収容部３７を左側面側に設け、カバー支持部４０を本体１０の左側面側に設け、この左側面側を中心として背面カバー２０が回動して開閉される構成としてもよい。また、板バネ４９、５０は、ピン４８を長穴４７Ａ内の所定の位置で保持できるものであればよく、例えば、長穴４７Ａ内に進退可能に設けられた突起と、この突起を長穴４７Ａ側に付勢する圧縮コイルバネ等を板バネ４９、５０に代えて用いることも可能であるし、板バネ４９、５０が第２リンク部材４７を背面カバー２０に固定する作用を持たない構成とすることも可能である。さらに、ヒンジ２４、２５の回動範囲も任意であり、少なくともリンク４３によって規制される範囲を超える回動範囲で背面カバー２０を回動可能とするものであればよい。さらに、リンク４３は、第１リンク部材４５と第２リンク部材４７とで構成されるものに限らず、３本以上の部材を連結して構成されてもよく、カバー支持部４０が、３本以上のリンク４３を有する構成とすることも可能であり、その他、本発明の趣旨を逸脱しない範囲でカバー支持部４０の細部構成を適宜変更できる。
【００４０】
また、本発明は、記録媒体に記録を行い、記録媒体を本体に収容し、カバーを開くことで記録媒体収容部を露出させる構成を有する記録装置であれば適用可能である。例えば、本実施形態の記録装置１は、インクジェット式プリンター、サーマルプリンター、熱転写式プリンター等のいずれであってもよく、その記録方式は任意である。さらに、記録装置１が使用する記録媒体は、ロール紙１００或いは感熱ロール紙に限らず、カット紙であっても、ファンフォールド紙のような折りたたみ式の連続紙であってもよい。また、ロール紙１００は、複写紙であってもよいし、ラベル用紙であってもよく、排紙口３６近傍にオートカッターユニットを設けた構成としてもよいし、ロール紙１００がラベル用紙である場合にラベルを剥離するピーラーを排紙口３６に設けた構成としてもよい。さらにまた、記録装置１は、外部のコンピューターに接続され、このコンピューターの制御に従って印刷を行うものであってもよいし、独立して動作するものであってもよく、記録装置としての具体的な細部構成は任意に変更可能である。
【符号の説明】
【００４１】
１…記録装置、１０…本体、１３…側面パネル、１３Ａ…下部、１３Ｂ…先端部、１７…背面パネル、２０…背面カバー（カバー）、２０Ａ…突起、２０Ｂ…内面、２１…窓、２４、２５…ヒンジ、２５Ａ…本体側板、２５Ｂ…カバー側板、２７…記録媒体収容部（媒体収容部）、２９…スライド台（記録媒体保持部）、３１…脚、３３…操作パネル、３４…表示パネル、３５…スライドレール、３６…排紙口、３７…制御基板収容部（基板収容部）、４０…カバー支持部、４１…台座、４１Ａ…ピン（回動軸）、４３…リンク、４３Ａ…端部空間、４３Ｂ…端部空間、４５…第１リンク部材、４７…第２リンク部材、４７Ａ…長穴、４８…ピン、４９、５０…板バネ（保持部材）、４９Ａ、５０Ａ…凸部、１００…ロール紙（記録媒体）。
【図１】
2013059970.tif 000003
【図２】
2013059970.tif 000004
【図３】
2013059970.tif 000005
【図４】
2013059970.tif 000006
【図５】
2013059970.tif 000007
【図６】
2013059970.tif 000008
【図７】
2013059970.tif 000009
【図８】
2013059970.tif 000010
【図９】
2013059970.tif 000011